(57)【要約】      （修正有）【課題】外出する際や急な大雨時に折りたたみ傘のみの使用では、衣類（特に下半身）がずぶ濡れになり強い不快を感じるのを防ぐ、また、強風などにより傘骨が変形する場合があるが変形を防ぎ、長く使用することが可能となる方式を提供する。【解決手段】携帯する折りたたみ傘の持ち手(円柱状)２と蓋３の回転ストッパー(持ち手、蓋部)８を開け、収納部(空洞)７の中に収納しているカプセル(円柱状)９を回転式ストッパー(カプセル部)１０を開け取出す。レインコートまたはパンツ１１を装着し、カプセル(円柱状)９を回転式ストッパー(カプセル部)１０で閉め収納部(空洞)７の中に収納、回転指揮ストッパー(持ち手、蓋部)８で持ち手(円柱状)２と蓋３を閉め、持ち手(円柱状)２または蓋３を持って歩行する事で衣類を守る。【選択図】図２
2013169436.tif 000002
【特許請求の範囲】
【請求項１】
折りたたみ傘の持ち手部分にレインコートまたはパンツを取出し可能に収納したことを特徴とするレインコート等収納折りたたみ傘。
【請求項２】
前記持ち手部分は、前記折りたたみ傘の柄の先端に取り付けられた、内部が収納部として形成されている先端開口の筒状体であり、この筒状体の前記収納部に前記レインコートまたはパンツを収納し、前記筒状体の先端開口を取外し可能な蓋で閉じたことを特徴とする請求項１記載のレインコート等収納折りたたみ傘。
【請求項３】
前記レインコートまたはパンツは、ホックで容易に着脱できるホック式のものであ
ることを特徴とする請求項１または２記載のレインコート等収納折りたたみ傘。
【請求項４】
傘骨がゴム製で変形を防止することを特徴とする請求項１〜３記載の傘骨ゴム製レインコート等収納折りたたみ傘。
【発明の詳細な説明】
【技術分野】
【０００１】
本発明は、取付け式で着脱衣を簡単にしたホック式レインコートまたはパンツを収納した折りたたみ傘に関する。
【背景技術】
【０００２】
急な雨等に備え傘を携帯するための小型の折りたたみ傘等が各種提案されている。例えば、特許文献1には、折りたたみが容易で小型化が可能な折りたたみ傘が開示されている。また、レインコートの紛失防止のため収納する手法が提案されている。例えば、特許文献2には、レインコートを忘れないように常に携帯しやすく収納し、雨天時にはすぐ取り出せ着衣してリュックを背負い、降雨が終わると、再度簡単に収納できるリュックが開示されている。また、レインコートについても各種提案されている。例えば、特許文献3には、筒状の防水布でズボンを覆う。膝上、又は膝下で締付け固定し、足もとまでズボンで覆い雨濡れを防ぐ。靴を履いたまま着脱できるように、足の出し入れ部分を開き、ファスナー等で締め、ズレ落ちを防ぐ。と開示されている。
【先行技術文献】
【特許文献】
【０００３】
【特許文献１】特開平１０−１４６３０号公報
【特許文献２】登録実用新案第３１５６８７８号公報
【特許文献３】特開平７−３１０２０７号公報
【発明の概要】
【０００４】
着脱衣が簡単な取付け式のホック式レインコートまたはパンツが収納できる
折りたたみ傘を提供する。
【発明が解決しようとする課題】
【０００５】
特許文献1の折りたたみ傘だけでは衣類（特に足もと）を守ることが出来ないため、レインコートまたはパンツが必要となる。また、特許文献2のようにリュック等に収納する場合は、折りたたみ傘とレインコートの両方を携帯する必要があるが、当発明では折りたたみ傘にレインコートまたはパンツを折りたたみ傘に収納する事でリュック等が必要なく忘れる事がない。また、特許文献3のようにレインコートの上部から足の出し入れ部分から靴をはいたまま着脱する場合は、着脱時に一本足になるため転倒などが想定されるが、当発明では、ホック式のレインコートまたはパンツのため両足を地面に付けたままの状態で着脱が可能であり、安全性を考慮している。
【課題を解決するための手段】
【０００６】
携帯する折りたたみ傘にホック式レインコートまたはパンツを収納し、外出する際や急な大雨時に簡単にホック式レインコートまたはパンツを取出し、かつ簡単に装着できる事で衣類を守る。即ち、折りたたみ傘の持ち手部分にレインコートまたはパンツを取出し可能に収納したものである。例えば、前記持ち手部分は、前記折りたたみ傘の柄の先端に取り付けられた、内部が収納部として形成されている先端開口の筒状体であり、この筒状体の前記収納部に前記レインコートまたはパンツを収納し、前記筒状体の先端開口を取出し可能な蓋で閉じたものとすることができる。そして、傘骨がゴム製で変形を防ぐこともできる。
【発明の効果】
【０００７】
ホック式レインコートまたはパンツが折りたたみ傘に収納されているため、雨量に応じて簡単に取出し着脱衣する事が可能。また、ホック式レインコートまたはパンツが取付け式のため靴等を脱いだり履いたりする面倒さがなく、場所を選ばずに装着でき、装着しない場合に比べ衣類が濡れる割合を大幅に改善する事が可能。
【図面の簡単な説明】
【０００８】
【図１】傘骨ゴム製レインコート等収納折りたたみ傘を示した側面図である。
【図２】傘骨ゴム製レインコート等収納折りたたみ傘を示した断面図である。
【図３】傘骨ゴム製レインコート等収納折りたたみ傘を示した分解図である。
【図４】ホック式レインコート（パンツ）装着前後を示した平面図である。
【図５】傘骨ゴム製レインコート等収納折りたたみ傘を開いて見せた図である。
【発明を実施するための形態】
【０００９】
ホック式レインコート（パンツ）入りの円柱型のカプセル。そのカプセルを折りたたみ傘の持ち手収納部へ収納するため円柱の空洞を確保。カプセルが落ちないための折りたたみ傘の持ち手下部に蓋を装備。
【実施例】
【００１０】
大雨時に11を装着する際、（3）の（8）を外し（9）を取出す。（9）の（10）を開け（11）を取出し、パンツの上部から（12）、（13）、（14）を使用し装着完了。（9）の（10）を閉め、（7）へ収納し（3）と（2）の（5）を固定し傘として利用可能。（1）を開き、（2）または（3）を持って歩行。
【産業上の利用可能性】
【００１１】
多くのビジネスマンなどスーツや制服等を着衣する方々が、あらゆる場所から外出する際、また外出中に突然の大雨・雷雨などに出会うケースがある。この場合、折りたたみ傘の携帯率は高く即使用するが、大雨時は特に足元には効果がない。このため、目的地に到着の際、見た目が悪いや濡れることで不快感を持つ。かつ、クリーニングに出す手間や出張先で替えのスーツが無い場合は不便を感じるため、このような場合に貢献できると考える。
【符号の説明】
【００１２】
1  傘（防水布）
2  持ち手（円柱状）
3  蓋
4  柄
5  回転式ストッパー（柄、持ち手部）
6  傘（防水布）収納口（溝状）
7  収納部（空洞）
8  回転式ストッパー（持ち手、蓋部）
9  カプセル（円柱状）
10  回転式ストッパー（カプセル部）
11  レインコートまたはパンツ
12  紐
13  凸ホック
14  凹ホック
15  ゴム製傘先傘骨
16  ゴム製スライド部傘骨
17  ゴム製柱支え部傘骨
【図１】
2013169436.tif 000003
【図２】
2013169436.tif 000004
【図３】
2013169436.tif 000005
【図４】
2013169436.tif 000006
【図５】
2013169436.tif 000007